(57)【特許請求の範囲】
【請求項１】
一面に零相変流器等の漏電検出素子(7a)とリード部品(7b)を一体に配置するとともに他面にトリップ装置(8) を一体に配置した漏電検出回路基板(6)を、前記トリップ装置(8) をトリガープレート(5) に臨ませるとともに該漏電検出回路基板(6)の他面をバイメタル(11)に臨ませて漏電遮断器のケース(1) 内に組み込んだことを特徴とする漏電遮断器。
【請求項２】
テストフィンガー(9) を漏電検出回路基板(6) の他面に設けた請求項１に記載の漏電遮断器。
【発明の詳細な説明】
【０００１】
【発明の属する技術分野】
本発明は、漏電検出セットを組み込んだ漏電遮断器に関するものである。
【０００２】
【従来の技術】
従来の漏電遮断器は図４に示すように、漏電検出セット５１の電流検出素子にて漏電を検出しリード部品、チップ部品からなる回路部らの漏電情報により作動するトリップ装置５２とは漏電遮断器のケース５０内にそれぞれ離して設置していた。
【０００３】
【発明が解決しようとする課題】
ところが、この従来のものにあっては漏電検出セット５１とトリップ装置５２との接続は中継基板５３を介してリード線５４により行うものであって、そのため、分離している各部品を接続しなければならず、接続作業が面倒であった。
【０００４】
【課題を解決するための手段】
上記の課題を解決するためになされた本発明は、一面に零相変流器等の漏電検出素子(7a)とリード部品(7b)を一体に配置するとともに他面にトリップ装置(8) を一体に配置した漏電検出回路基板(6)を、前記トリップ装置(8) をトリガープレート(5) に臨ませるとともに該漏電検出回路基板(6)の他面をバイメタル(11)に臨ませて漏電遮断器のケース(1) 内に組み込んだことを特徴とするものである。また、テストフィンガーを漏電検出回路基板の他面に設けてもよい。
【０００５】
【発明の実施の形態】
本発明の好ましい実施の形態を図１〜図３基づいて詳細に説明する。
１は漏電遮断器のケース、２はケ−ス１の上部に枢支されて左右に揺動されてオン、オフ及びトリップ状態をとるハンドル、３はハンドルに連動して固定接触子３ａと開閉する可動接触子、４はトリガープレート５に支持されてハンドル２を安定位置でオン、オフさせるクレドルであり、該クレドル４はトリガープレ−ト５が異常電流により作動させられ該クレドル４の支持を解除して可動接触子３を強制的に解離させるとともにハンドル２をトリップ状態にするものである。
【０００６】
６は漏電検出回路基板であり、該漏電検出回路基板６の一面には漏電検出セット７の零相変流器等の漏電検出素子７ａ、制限抵抗・ＩＣ等のリード部品７ｂが配置されている。また、該漏電検出回路基板６の他面には前記漏電検出セット７からの漏電情報により作動して前記トリガープレート５を釈放するトリップ装置８が配置されている。そして、該漏電検出回路基板６はトリップ装置８を前記トリガープレート５に臨ませて漏電遮断器のケース１内に組み込まされている。なお、トリガープレート５は、該漏電検出回路基板６とトリップ装置８により形成される空間に配置されている。
【０００７】
９はケース１の上面に臨ませた押しボタン１０の操作でトリップ装置８の作動状況を確認するテストフィンガーであり、該テストフィンガー９は漏電検出回路基板６の他面にトリップ装置８の側方に設けられている。１１は過電流による発熱により彎曲しトリガープレート５をクレドル４の釈放側に作動させるバイメタルであり、該バイメタル１１は漏電検出回路基板６の他面とトリガープレート５の間に下端をケース１の下面に取り付けた支持枠金具１２の背板部１２ａに溶着されて取り付けられている。１３は短絡時の過大電流が流れた時に瞬時にトリガープレート５を作動させる電磁石装置であり、該電磁石装置１３はトリガープレート５の裏面に添装した磁性板５ａとバイメタル１１の両側面及び背面を囲装した前記支持枠金具１２の上部に連設した断面コ字型の枠金具１４とよりなりバイメタル１０に発生する電磁力により磁性板５ａを枠金具１４により吸着させてトリガープレート５をクレドル４の釈放側に作動させるものである。
【０００８】
なお、図示の実施形態のものはトリガープレート５がその下方部を前記支持枠金具１２に枢着して上方を揺動する形式のものであるから、これに対応するように該トリップ装置８を漏電検出回路基板６の上方に配置してトリガープレート５の上端に前記トリップ装置８の係止部８ａを係止させ、漏電検出セット７を下方に配置しているが、これと逆にトリガープレート５の上部を適宜の手段でケース１内に枢着して下方を揺動する形式のものとした場合にはトリップ装置８を漏電検出回路基板６の下方に配置し漏電検出セット７を上方に配置するものとなる。
【０００９】
このように構成されたものは、回路に漏電電流が発生したら、漏電検出セット７によって検知し、トリップ装置８を作動させてトリガープレート５によるクレドル４の支持を解除して可動接触子３を強制的に解離させるとともにハンドル２をトリップ状態とすることは、従来の漏電検出回路を組み込んだ漏電遮断器と同様である。
【００１０】
本発明は、漏電検出回路基板６の一面に漏電検出セット７である零相変流器等の漏電検出素子７ａ、制限抵抗・ＩＣ等のリード部品７ｂが配置するとともに他面にはトリップ装置８が配置されているから、該漏電検出セット７とトリップ装置８との間の接続は漏電検出回路基板６により行うので中継基板やリード線を不要として部品点数を削減することができ、また、リード線を引き回す必要が無いので接続作業が容易なものである。さらに、漏電検出セット７とトリップ装置８とが漏電検出回路基板６に一体化されているのでケース１内への組込作業も容易なものである。
【００１１】
また、トリガープレート５に臨むトリップ装置８を配置した漏電検出回路基板６の他面の反対面である一面に漏電検出セット７の制限抵抗・ＩＣ等が配置してあるので、該制限抵抗・ＩＣ等と前記バイメタル１１との間は漏電検出回路基板６により隔離されているので、相互の発熱が干渉することがないものである。即ち、電子回路が動作する直流十数Ｖまで降圧するのに必要な制限抵抗の約６０°の発熱によりバイメタル１１の引き外し特性が悪影響を受ける虞が無いものであり、逆に、バイメタル１１の約１１０°の発熱により制限抵抗・ＩＣが長年に亘って経年変化し故障する虞が無いものである。
【００１２】
さらに、テストフィンガー９を漏電遮断器のケース１の上部近傍に配置し、漏電検出回路基板６の他面に設けることにより、漏電検出回路基板６をケース１内への組み込むことにより所定箇所に的確に設置できるものである。また、中継基板やリード線を不要として部品点数を削減することができ、さらに、リード線を引き回す必要が無いので接続作業が容易なものである。
【００１３】
【発明の効果】
本発明は前記説明によって明らかなように、一面に零相変流器等の漏電検出素子、リード部品を配置するとともに他面にトリップ装置を配置した漏電検出回路基板を、前記トリップ装置をトリガープレートに臨ませて漏電遮断器のケース内に組み込んだものであるから、部品点数を少なくできるうえ組立作業が容易となる。
従って、本発明は従来の漏電遮断器の問題を解決したものとして、業界に寄与するところ大なものである。
【図面の簡単な説明】
【図１】本発明の実施の形態を示す一部切欠側面図である。
【図２】本発明の実施の形態に使用する漏電検出回路基板を一面側から見た斜視図である。
【図３】本発明の実施の形態に使用する漏電検出回路基板を他面側から見た斜視図である。
【図４】従来例を示す一部切欠側面図である。
【符号の説明】
１  漏電遮断器のケース
５  トリガープレート
６  漏電検出回路基板
７  漏電検出セット
８  トリップ装置
９  テストフィンガー
【図１】
0004475748.tif 000002
【図２】
0004475748.tif 000003
【図３】
0004475748.tif 000004
【図４】
0004475748.tif 000005